(57)【要約】【課題】  外部振動などによる接触端子の緩みやハウジングの抜け出し等を防止することが可能な扁平導体用コネクタを提供する。【解決手段】  操作部材５が閉状態のときには、カム部５２が第１の接触端子３によって保持され、操作部材５が固定される。さらに、ハウジング２の前壁２２が第１の接触端子３のフック部３１ａと第２の接触端子４のフック部４１ａとによって係止されると共に、後壁２１が第２の接触端子４の起立部４２のフック部４２ａによって係止される。これにより、扁平導体用コネクタ１に外部振動が加えられる等しても、第１の接触端子３がハウジング２内で緩んだり、ハウジング２が接触端子３から上方に抜け出すことを防止することができる。【選択図】図４
2005135679.tif 000002
【特許請求の範囲】
【請求項１】
上端開口を有するハウジングと、扁平導体をこのハウジング内に挿入するための挿入口を有した蓋部，及びこの蓋部の下側に突設されたカム部を有し、且つ上記蓋部で上記上端開口を開閉することができるようにハウジングに回動自在に支持された操作部材と、上記ハウジングの後壁に当接した起立部，この起立部の下部からハウジングの前壁側に延出してその前端を前壁に当接させたベース部，上記前壁側に撓み可能に上記ベース部から上方に延出して上記起立部と対向し、且つ突部が形成されたアーム部，及び上記ベース部からハウジングの外部に延出したテール部を有し、ハウジング内に交互に列設された第１及び第２の接触端子とを具備する扁平導体用コネクタであって、
上記第１の接触端子は、
上記起立部の上部から上記前壁側に延出した水平部と、起立部の下方に向かうに従って上記アーム部側にせり上がる傾斜部とを有し、上記ベース部の前端に突設されたフック部を上記前壁に係止させて上記ハウジング内に圧入されているものであり、
上記カム部は、
上記第１の接触端子の起立部とアーム部と水平部とで囲まれる部位に回動自在に遊嵌され、上記操作部材の閉時に、ハウジング内に挿入された扁平導体を上記第１の接触端子のアーム部側に押圧する押圧面と、上記水平部に当接する当接面と、上記傾斜部の頂部に係止する角部とを有し、
上記第２の接触端子は、
上記起立部の上端部に突設されたフック部を上記ハウジングの上部に形成された圧入口に係止させた状態で、当該上端部が当該圧入口に圧入されていると共に、上記ベース部の前端に突設されたフック部を上記ハウジングの前壁に係止させた状態で、ハウジング内に圧入されているものである、
ことと特徴とする扁平導体用コネクタ。
【請求項２】
請求項１に記載の扁平導体用コネクタにおいて、
上記第１の接触端子のテール部と第２の接触端子のテール部とは、互いに逆側のハウジング外部に延出している、
ことを特徴とする扁平導体用コネクタ。
【発明の詳細な説明】
【技術分野】
【０００１】
この発明は、フレクシブルフラットケーブル（ＦＦＣ）やフレクシブルプリント基板（ＦＰＣ）等の扁平導体をプリント基板に接続するための扁平導体用コネクタに関するものである。
【背景技術】
【０００２】
従来、この種の技術として、例えば特許文献１に開示した技術がある。
図１３は、この従来例に係る扁平導体用コネクタを構成する操作部材の開状態を示す断面図であり、図１４は、操作部材の閉状態を示す断面図である。
【０００３】
この扁平導体用コネクタの操作部材１００は、図１３に示すように、ハウジング１１０の前壁側の回動限に位置すると、扁平導体Ｆが挿入される開口部１１１を開放する。この状態で扁平導体Ｆが開口部１１１に挿入されると、扁平導体Ｆが操作部材１００の誘導面１０１によって支持される。そして、図１４に示すように、操作部材１００がハウジング１１０の後壁側に向けて回動すると、誘導面１０１の下端縁の角部１０２が開口部１１１に進入して、開口部１１１が狭まる。これにより、開口部１１１に挿入された扁平導体Ｆが、角部１０２によって接触端子１２０のアーム部１２１に押し付けられ、角部１０２とアーム部１２１の突部１２１ａとに狭まれて、扁平導体Ｆが接触端子１２０に電気的に接続される。
【０００４】
【特許文献１】特開平０７−２４０６５０号公報
【発明の開示】
【発明が解決しようとする課題】
【０００５】
しかし、上記した従来の扁平導体用コネクタでは、次のような問題がある。
ハウジング１１０内の接触端子１２０は、起立部１２２の突起１２２ａとハウジング１１０の凹部１１２との係合力だけで、ハウジング１１０内に保持されている。このため、外部からの振動等によって、突起１２２ａと凹部１１２との係合が簡単に外れ、接触端子１２０がハウジング１１０内で緩んだり、図８の二点鎖線で示すように、ハウジング１１０が接触端子１２０から上方に抜け出すおそれがあった。特に、コネクタの低背化が進むと、ハウジング１１０内への接触端子１２０の圧入代を十分にとることができなくなり、接触端子１２０の緩みやハウジング１１０の抜け出しが生じ易くなる。
【０００６】
この発明は、上述した課題を解決するためになされたもので、外部振動などによる接触端子の緩みやハウジングの抜け出し等を防止することが可能な扁平導体用コネクタを提供することを目的とする。
【課題を解決するための手段】
【０００７】
上記課題を解決するために、請求項１の発明は、上端開口を有するハウジングと、扁平導体をこのハウジング内に挿入するための挿入口を有した蓋部，及びこの蓋部の下側に突設されたカム部を有し、且つ蓋部で上端開口を開閉することができるようにハウジングに回動自在に支持された操作部材と、ハウジングの後壁に当接した起立部，この起立部の下部からハウジングの前壁側に延出してその前端を前壁に当接させたベース部，前壁側に撓み可能にベース部から上方に延出して起立部と対向し、且つ突部が形成されたアーム部，及びベース部からハウジングの外部に延出したテール部を有し、ハウジング内に交互に列設された第１及び第２の接触端子とを具備する扁平導体用コネクタであって、  第１の接触端子は、起立部の上部から前壁側に延出した水平部と、起立部の下方に向かうに従ってアーム部側にせり上がる傾斜部とを有し、ベース部の前端に突設されたフック部を前壁に係止させてハウジング内に圧入されているものであり、カム部は、第１の接触端子の起立部とアーム部と水平部とで囲まれる部位に回動自在に遊嵌され、操作部材の閉時に、ハウジング内に挿入された扁平導体を第１の接触端子のアーム部側に押圧する押圧面と、水平部に当接する当接面と、傾斜部の頂部に係止する角部とを有し、第２の接触端子は、起立部の上端部に突設されたフック部をハウジングの上部に形成された圧入口に係止させた状態で、当該上端部が当該圧入口に圧入されていると共に、ベース部の前端に突設されたフック部をハウジングの前壁に係止させた状態で、ハウジング内に圧入されているものである構成とした。
【０００８】
かかる構成により、操作部材の開状態において挿入口から扁平導体が挿入されると、第１の接触端子の起立部と水平部とアーム部で囲まれた空間内に扁平導体の先端部が進入し、扁平導体の側面がこの空間内に遊嵌されたカム部の押圧面で支持される。そして、操作部材が回動操作されると、この操作に伴いカム部が回動し、扁平導体がカム部の押圧面によってアーム部側に押圧される。そして、操作部材が閉状態になると、カム部の押圧面とアーム部とで扁平導体が挟み込まれ、第１及び第２の接触端子と扁平導体とが電気的に接続される。
この閉状態では、カム部の当接面が第１の接触端子の水平部に当接し、角部が傾斜部の頂部に係止する。このため、カム部は水平部から下方力を受け、傾斜部の頂部からアーム部側への側方力を受ける。また、カム部は、扁平導体を介して第１の接触端子のアーム部の突部から傾斜部側への側方力を受ける。したがって、カム部は、第１の接触端子の起立部と水平部とアーム部で囲まれた空間の固定位置に保持される。さらに、ハウジングの前壁が、第１の接触端子のベース部に突設されたフック部で係止されている。この結果、ハウジングが上方へ動こうとすると、第１の接触端子のベース部のフック部がその係止力によって上方への動きを阻止すると共に、第１の接触端子の起立部と水平部とアーム部とで保持されたカム部と一体の操作部材の蓋部が、上方へ動こうとするハウジングに下方力を加える。
これと併行して、上方に動こうとするハウジングに対し、第２の接触端子の起立部に突設されたフック部がハウジングの圧入口に係止して、上方への動きを阻止すると共に、ベース部のフック部がハウジングの前壁に係止して、上方への動きを阻止する。
【０００９】
また、請求項２の発明は、請求項１に記載の扁平導体用コネクタにおいて、第１の接触端子のテール部と第２の接触端子のテール部とは、互いに逆側のハウジング外部に延出している構成とした。
【００１０】
かかる構成により、第１及び第２の接触端子のテール部のピッチ間隔を、第１及び第２の接触端子のテール部をハウジングの同じ側に延出させた場合に比べて、狭く設定することができる。
【発明の効果】
【００１１】
以上説明したように、請求項１の発明に係る扁平導体用コネクタによれば、外部の振動などにより、ハウジングが上方へ動こうとすると、第１の接触端子のベース部のフック部が上方への動きを阻止すると共に、カム部と一体の操作部材の蓋部が、上方へ動こうとするハウジングに下方力を加え、しかも、第２の接触端子の起立部のフック部がハウジングの圧入口に係止して、上方への動きを阻止すると共に、ベース部のフック部がハウジングの前壁に係止して、上方への動きを阻止するので、第１及び第２の接触端子がハウジング内で緩んだり、ハウジングが第１及び第２の接触端子から上方に抜け出したりすることを防止することができるという優れた効果がある。
【００１２】
また、請求項２の発明に係る扁平導体用コネクタによれば、第１及び第２の接触端子のテール部のピッチ間隔を、第１及び第２の接触端子のテール部をハウジングの同じ側に延出させた場合に比べて、狭く設定することができるので、コネクタ自体の小型化を図ることができるという効果がある。
【発明を実施するための最良の形態】
【００１３】
以下、この発明の最良の形態について図面を参照して説明する。
【実施例１】
【００１４】
図１は、この発明の一実施例に係る扁平導体用コネクタを示す斜視図である。また、図２は、図１の矢視Ａ−Ａ断面図であり、補助端子の取付状態を示し、図３は、図１の矢視Ｂ−Ｂ断面図であり、第１及び第２の接触端子の列設状態を示す。
【００１５】
図１に示すように、この扁平導体用コネクタ１は、ハウジング２と、複数の第１及び第２の接触端子３，４と、操作部材５と、補助端子６とを具備している。
【００１６】
ハウジング２は、図１及び図２に示すように、後壁２１と前壁２２と両側壁２３，２３とで構成された上端及び下端開口のケース体である。
かかるハウジング２は、補助端子６によって、図示しない基板などに固定されるようになっている。
具体的には、ハウジング２の側壁２３に、上から順に矩形穴２３ａと水平孔２３ｂ，２３ｃが形成され、補助端子６が矩形穴２３ａと水平孔２３ｂ，２３ｃに差し込まれている。即ち、補助端子６が略Ｅ字状に形成され、そのベース部６１が水平孔２３ｃに挿入され、フック６４ａを有した中間水平部６４が水平孔２３ｂに圧入されている。そして、上端水平部６３がハウジング２の矩形穴２３ａに嵌められて、略矩形の軸受部６６が画成されている。また、補助端子６の頂部にはストッパ６ａが突設され、操作部材５の開状態の角度を規制するようになっている。
【００１７】
第１及び第２の接触端子３，４は、図３に示すように、このハウジング２内に、交互に取り付けられている。
図４は、図１の矢視Ｃ−Ｃ断面図であり、第１の接触端子３の取付状態を示し、図６は、図１の矢視Ｄ−Ｄ断面図であり、第２の接触端子４の取付状態を示す。
【００１８】
第１の接触端子３は、図４に示すように、ベース部３１と、起立部３２と、水平部３３と、アーム部３４とを備え、ハウジング２の後壁２１と前壁２２と仕切壁２４とで画成された収納室２ａ内に圧入されている。
すなわち、起立部３２がハウジング２の後壁２１に圧接し、ベース部３１がこの起立部３２の下部から前壁２２側に延出してその前端を前壁２２に圧接させている。そして、アーム部３４が前壁２２側に撓み可能にベース部３１から上方に延出して起立部３２と対向している。また、アーム部３４には、起立部３２側を向いた突部３４ａが形成され、ベース部３１には、ハウジング２の前側外部に延出した基板接続用のテール部３５が形成されている。そして、図５に示すように、このベース部３１の前端にはフック部３１ａが突設され、フック部３１ａが前壁２２に係止している。
この第１の接触端子３は、さらに、図４に示すように、起立部３２の上部から前壁２２側に延出し、その先端部に、下方を向く突部３３ａを有した水平部３３が形成されている。そして、この水平部３３の下方に、起立部３２の下方に向かうに従ってアーム部３４側にせり上がる傾斜部３２ａが形成されている。、
【００１９】
一方、第２の接触端子４も、図６に示すように、第１の接触端子３と同様に、ベース部４１と、起立部４２と、アーム部４４とを備え、ハウジング２の後壁２１と前壁２２と仕切壁２４とで画成された収納室２ｂ内に圧入されているが、起立部４２の形状が第１の接触端子３の起立部３２と異なる。
すなわち、起立部４２は、上端部が縮幅した形状を呈し、その上端部に、フック部４２ａを有している。かかる起立部４２の上端部は、図７に示すように、ハウジング２の収納室２ｂ上部に形成された圧入口２６内に圧入され、そのフック部４２ａを圧入口２６に係止させている。
また、ベース部４１はその前端にフック部４１ａを有し、このフック部４１ａを前壁２２に係止させている点は第１の接触端子３のベース部３１と同じであるが、そのテール部４５は、テール部３５と逆側即ちハウジング２の後側外部に延出されている。
【００２０】
操作部材５は、図４及び図６に示すように、蓋部５１と、この蓋部５１の下側に一体に形成されたカム部５２及び押圧部５３とを備え、蓋部５１でハウジング２の上端開口を開閉することができるようにハウジング２に回動自在に支持されている。
具体的には、図２に示すように、操作部材５の両端部に、軸部５４が突設され、この軸部５４が、ハウジング２の軸受部６６内に回動自在に遊嵌されている。これにより、操作部材５は、ハウジング２に回動自在に取り付けられた状態になり、蓋部５１がハウジング２の上端開口部を覆う図４及び図６に示す閉状態と、蓋部５１がハウジング２の上端開口部を開放する図９及び図１０に示す開状態とを達成する。
【００２１】
蓋部５１は、図４及び図６に示すように、上面前位に、扁平導体Ｆを挿入するための挿入口５１ａを有している。この挿入口５１ａは、扁平導体Ｆの厚みよりもやや幅広に形成され、断面テーパ状をなす
【００２２】
カム部５２は、図４に示すように、断面略台形状を呈し、第１の接触端子３のアーム部３４と起立部３２と水平部３３とで囲まれる領域内に、回動自在に遊嵌されている。カム部５２においては、台形の下底に相当する面が、ハウジング２内に挿入された扁平導体Ｆを支持する押圧面５２ａを構成している。そして、この押圧面５２ａの上縁部と台形の一方の脚辺に相当する上部傾斜面との間の面が、操作部材５の閉状態において水平部３３の突部３３ａに当接する当接面５２ｂを構成している。また、台形の他方の脚辺に相当する下部傾斜面と台形の上底に相当する面との交わり部分が、操作部材５の閉状態において傾斜部３２ａの頂部３２ｂに係止する角部５２ｃを構成している。
【００２３】
また、押圧部５３は、図６に示すように、蓋部５１の下側から第２の接触端子４の起立部４２とアーム部４４との間に進入するように形成され、挿入口５１ａの面及びカム部５２の押圧面５２ａに連続する面が、ハウジング２内に挿入された扁平導体Ｆをアーム部４４側に押圧する押圧面５３ａを構成している。
【００２４】
次に、この扁平導体用コネクタ１が示す作用及び効果について説明する。
図８は、扁平導体用コネクタの基板への取付状態を示す概略平面図であり、図９は、操作部材の開状態を示す図４対応の断面図であり、図１０は、操作部材の開状態を示す図６対応の断面図である。
扁平導体用コネクタ１を基板２００に取り付ける際には、図８に示すように、基板２００のパッド２０１に第１及び第２の接触端子３，４のテール部３５，４５を接触させた状態で、補助端子６のテール部６５を基板２００上に固定する。
ここで、第１及び第２の接触端子３，４のテール部３５，４５は、互いにハウジング２の逆側に延出している。このため、テール部３５，４５のピッチ間隔は、テール部３５，４５をハウジング２の同じ側に延出させた場合に比べて、狭く設定することができる。
【００２５】
かかる状態で、図９及び図１０に示すように、操作部材５をハウジング２の前側に回動して、蓋部５１がハウジング２の上端開口を開放した開状態にする。すると、図９に示すように、カム部５２の上部傾斜面が接触端子３の水平部３３の突部３３ａに当接し、カム部５２の下部傾斜面が接触端子の起立部３２の傾斜部３２ａに当接する。また、押圧部５３がカム部５２と一体に回動し、図１０に示すように、接触端子４の起立部４２とアーム部４４との間で傾斜する。さらに、図２に示すように、蓋部５１の前面が補助端子６のストッパ６ａに当接して、操作部材５の開状態が保持される。この状態で、扁平導体Ｆを蓋部５１の挿入口５１ａに挿入すると、扁平導体Ｆの先端部が、第１の接触端子３のアーム部３４とカム部５２の押圧面との間、及び第２の接触端子４のアーム部４４と押圧部５３の押圧面５３ａの間に進入する。
【００２６】
この状態から、操作部材５をハウジング２の後壁２１側にむけて回動操作すると、この回動操作に伴って、カム部５２及び押圧部５３が一体に回動する。すると、図１１及び図１２に示すように、カム部５２の上部傾斜面が第１の接触端子３の水平部３３の突部３３ａによって下方に押し込まれ、また、カム部５２の下部傾斜面が起立部３２の傾斜部３２ａに接触しながら傾斜部３２ａの頂部３２ｂ側に登っていく。これに伴い、扁平導体Ｆは、カム部５２の押圧面５２ａ及び押圧部５３の押圧面５３ａによってアーム部３４，４４に押し付けられる。
そして、図１１に示すように、カム部５２の角部５２ｃが傾斜部３２ａの頂部３２ｂに乗り上がり、当接面５２ｂが第１の接触端子３の水平部３３の突部３３ａに当接すると、ハウジング２の上端開口が蓋部５１で覆われて、操作部材５が閉状態になる。
かかる閉状態では、図１１及び図１２に示すように、扁平導体Ｆが、カム部５２及び押圧部５３の押圧面５２ａ，５３ａとアーム部３４，４４とで挟み込まれ、扁平導体Ｆと第１及び第２の接触端子３，４とが電気的に接続した状態になる。
【００２７】
この状態で、図１１に示すように、外部振動等により、ハウジング２に外部力ｆ１が加わり、ハウジング２を上方に動かそうとした場合には、カム部５２と第１の接触端子３との協働作用によって、ハウジング２の上方への移動を阻止する。具体的には、カム部５２が、第１の接触端子３の水平部３３とアーム部３４で囲まれた空間の固定位置に保持されているので、ハウジング２の後壁２１が蓋部５１からの下方力ｆ２（＝ｆ１）を受ける。この結果、ハウジング２の上方への移動が蓋部５１によって阻止される。また、ハウジング２の前壁２２に加わる外部力ｆ１に対しては、ベース部３１のフック部３１ａによる係止力ｆ２が働く。したがって、ハウジング２は、操作部材５の蓋部５１と複数の第１の接触端子３のフック部３１ａとによって、上方への移動を阻止されることとなる。
さらに、第２の接触端子４もハウジング２の上方移動に抗する。すなわち、図１２に示すように、後壁２１に働く外部力ｆ１に対して、起立部４２のフック部４２ａによる係止力ｆ２が働き、前壁２２に働く外部力ｆ１に対して、ベース部４１のフック部４１ａによる係止力ｆ２が働く。したがって、ハウジング２は、複数の第２の接触端子４のフック部４１ａとフック部４２ａとによっても、上方への移動を阻止されることとなる。
【００２８】
このように、この実施例の扁平導体用コネクタによれば、外部の振動などにより、ハウジング２が上方へ動こうとすると、操作部材５の蓋部５１と複数の第１及び第２の接触端子３，４がハウジング２の上方への動きを阻止するので、外部の振動などによって、ハウジング２が第１及び第２の接触端子３，４から上方に抜け出たり、第１及び第２の接触端子３，４がハウジング２内で緩むことはない。
【図面の簡単な説明】
【００２９】
【図１】この発明の一実施例に係る扁平導体用コネクタを示す斜視図である。
【図２】図１の矢視Ａ−Ａ断面図であり、補助端子の取付状態を示す。
【図３】図１の矢視Ｂ−Ｂ断面図であり、第１及び第２の接触端子の列設状態を示す。
【図４】図１の矢視Ｃ−Ｃ断面図であり、第１の接触端子の取付状態を示す。
【図５】ベース部のフック部と前壁との係止状態を示す部分拡大断面図である。
【図６】図１の矢視Ｄ−Ｄ断面図であり、第２の接触端子の取付状態を示す。
【図７】起立部のフック部と圧入口との係止状態を示す部分拡大断面図である。
【図８】扁平導体用コネクタの基板への取付状態を示す概略平面図である。
【図９】操作部材の開状態を示す図４対応の断面図である。
【図１０】操作部材の開状態を示す図６対応の断面図である。
【図１１】操作部材と第１の接触端子とによるハウジングの抜け止め防止作用を示す断面図である。
【図１２】第２の接触端子とによるハウジングの抜け止め防止作用を示す断面図である。
【図１３】従来例に係る扁平導体用コネクタの操作部材の開状態を示す断面図である。
【図１４】従来例に係る扁平導体用コネクタの操作部材の閉状態を示す断面図である。
【符号の説明】
【００３０】
１…扁平導体用コネクタ、  ２…ハウジング、  ３…第１の接触端子、  ４…第２の接触端子、  ５…操作部材、  ６…補助端子、  ２１…後壁、  ２２…前壁、  ２６…圧入口、  ３１，４１…ベース部、  ３２，４２…起立部、  ３２ａ…傾斜部、  ３２ｂ…頂部、  ３３…水平部、  ３３ａ…突部、  ３４，４４…アーム部、  ３４ａ，４４ａ…突部、  ５１…蓋部、  ５１ａ…挿入口、５２…カム部、  ５２ａ…押圧面、  ５２ｂ…当接面、  ５２ｃ…角部、  ５３…押圧部、  ５３ａ…押圧面。
【図１】
2005135679.tif 000003
【図２】
2005135679.tif 000004
【図３】
2005135679.tif 000005
【図４】
2005135679.tif 000006
【図５】
2005135679.tif 000007
【図６】
2005135679.tif 000008
【図７】
2005135679.tif 000009
【図８】
2005135679.tif 000010
【図９】
2005135679.tif 000011
【図１０】
2005135679.tif 000012
【図１１】
2005135679.tif 000013
【図１２】
2005135679.tif 000014
【図１３】
2005135679.tif 000015
【図１４】
2005135679.tif 000016